(57)【要約】【課題】デュアルフューエルエンジンの制御に関し、非炭化水素系の燃料の使用を継続しつつ、蒸発燃料供給による排気浄化性能の向上を図る。【解決手段】燃料切替信号を読み込み、運転者がガソリン燃料を選択したか否かを判定する。Ｓ２の判定の結果、運転者がガソリン燃料を選択している場合、パージ要求があれば、パージ制御弁４４を開作動してパージを実行する。運転者が水素燃料を選択しており、パージ要求があれば、Ｓ５に進み、過去に所定期間以上の高出力運転を行っていた場合、パージ制御弁４４を開作動してパージを実行する。Ｓ５の判定でＮＯの場合、現時点におけるエンジンの出力状態に応じて、エンジンの回転数を、例えば２８００ｒｐｍまで増大させ、所定回転数の運転を設定期間継続させた後、パージを実行してリターンする。【選択図】  図４
2010013976.tif 000002
【特許請求の範囲】
【請求項１】
非炭化水素系燃料と、炭化水素系燃料とにより運転可能なデュアルフューエルエンジンと他の駆動源と前記エンジンに蒸発燃料を供給する蒸発燃料供給手段とを有するデュアルフューエルエンジンの制御方法において、
運転者の要求に基づいて一方の燃料によって前記エンジンを運転させる第１ステップと、
エンジン運転時、エンジンへの蒸発燃料供給の要否を判定する第２ステップと、
非炭化水素系燃料による運転を行っているとき、蒸発燃料供給の要求があった場合には、前記エンジンの出力を増加補正する第３ステップと、
前記エンジン出力の増加補正後に蒸発燃料を供給する第４ステップと、
を有することを特徴とするデュアルフューエルエンジンの制御方法。
【請求項２】
前記第３ステップは、前記第３ステップ前のエンジン出力が小さい程、エンジン出力の増加補正を大きくするステップであることを特徴とする請求項１に記載のデュアルフューエルエンジンの制御方法。
【請求項３】
前記蒸発燃料供給の要求があったときのエンジン出力が所定値以上の場合、エンジン出力の増加補正を禁止する第５ステップを有することを特徴とする請求項１又は２に記載のデュアルフューエルエンジンの制御方法。
【請求項４】
前記他の駆動源は充電可能なバッテリであり、モータで走行するハイブリッド車両であって、前記第３ステップのエンジン出力の増加で発電すると共に、この発電分を前記バッテリに充電する第６ステップを有することを特徴とする請求項１又は２に記載のデュアルフューエルエンジンの制御方法。
【請求項５】
前記他の駆動源は充電可能なバッテリであり、モータで走行するハイブリッド車両であって、前記バッテリの電力と前記エンジンの発電による電力との双方により前記モータが駆動される場合、前記モータに供給される前記バッテリの電力量から前記第３ステップのエンジン出力の増加で発電される電力量を低減する第７ステップを有することを特徴とする請求項１又は２に記載のデュアルフューエルエンジンの制御方法。
【請求項６】
非炭化水素系燃料と、炭化水素系燃料とにより運転可能なデュアルフューエルエンジンと他の駆動源と前記エンジンに蒸発燃料を供給する蒸発燃料供給手段とを有するデュアルフューエルエンジンの制御方法において、
運転者の要求に基づいて一方の燃料によって前記エンジンを運転させる第１ステップと、
エンジン運転時、エンジンへの蒸発燃料供給の要否を判定する第２ステップと、
非炭化水素系燃料による運転を行っているとき、触媒が活性化状態にあるか否かを判定する第３ステップと、
触媒が非活性化状態下で蒸発燃料供給の要求があった場合には、前記エンジンの出力を増加補正する第４ステップと、
前記エンジン出力の増加補正により触媒が活性化状態になった後に蒸発燃料を供給する第５ステップと、
を有することを特徴とするデュアルフューエルエンジンの制御方法。
【請求項７】
第４ステップは、触媒が活性化状態から離れている程、前記エンジン出力の増加補正を大きくするステップであることを特徴とする請求項６に記載のデュアルフューエルエンジンの制御方法。
【請求項８】
非炭化水素系燃料と、炭化水素系燃料とにより運転可能なデュアルフューエルエンジンと他の駆動源と前記エンジンに蒸発燃料を供給する蒸発燃料供給手段とを有するデュアルフューエルエンジンの制御装置において、
運転者の操作によって、前記エンジンの運転に使用する燃料を切替え可能な切替手段と、
エンジン運転時、エンジンへの蒸発燃料供給の要否を判定する蒸発燃料供給判定手段と、
非炭化水素系燃料による運転を行っているとき、蒸発燃料供給の要求があった場合には、前記エンジンの出力を増加補正する出力増加手段とを有し、
前記エンジン出力の増加補正後に蒸発燃料を供給することを特徴とするデュアルフューエルエンジンの制御装置。
【請求項９】
前記出力増加手段は、エンジン出力の増加前のエンジン出力が小さい程、前記エンジン出力の増加補正を大きくすることを特徴とする請求項８に記載のデュアルフューエルエンジンの制御装置。
【請求項１０】
前記蒸発燃料供給判定手段により、蒸発燃料供給の判定がなされたときのエンジン出力が所定値以上の場合、前記出力増加手段のエンジン出力の増加補正を禁止することを特徴とする請求項８又は９に記載のデュアルフューエルエンジンの制御装置。
【請求項１１】
前記他の駆動源は充電可能なバッテリであり、モータで走行するハイブリッド車両であって、前記出力増加手段によるエンジン出力の増加に基づき発電されると共に、この発電分を前記バッテリに充電することを特徴とする請求項８又は９に記載のデュアルフューエルエンジンの制御装置。
【請求項１２】
前記他の駆動源は充電可能なバッテリであり、モータで走行するハイブリッド車両であって、前記バッテリの電力と前記エンジンの発電による電力との双方により前記モータが駆動される場合、前記モータに供給される前記バッテリの電力量から前記出力増加手段によるエンジン出力の増加に基づき発電される電力量を低減することを特徴とする請求項８又は９に記載のデュアルフューエルエンジンの制御装置。
【発明の詳細な説明】
【技術分野】
【０００１】
本発明は、使用燃料を炭化水素系の液体燃料（ガソリン、軽油等）と非炭化水素系の気体燃料（水素等）とに切替えて運転可能とされ、特に、蒸発燃料供給時におけるデュアルフューエルエンジンの制御方法及びその装置に関するものである。
【背景技術】
【０００２】
環境問題、特に、ＣＯ２低減の観点から、液体燃料であるガソリンと気体燃料である水素とを切替えて使用するデュアルフューエルエンジンに関する提案が従来からなされている。
【０００３】
例えば、特許文献１には、運転者の選択によって燃料であるガソリンと水素とを切替え可能なデュアルフューエルエンジンにおいて、気体燃料である水素運転モードであって、キャニスタトラップが所定値以上となりパージすべき条件となった場合に、エンジンに供給される気体燃料の空燃比を理論空燃比よりもリーン側に設定した上でパージを行うことにより、パージに伴って発生するトルク増加を軽減する技術が記載されている。
【０００４】
特許文献１では、パージ実行時であっても、運転モードを強制的に水素からガソリンに切替えないため、エンジン出力特性の変化によるトルク変動を抑制でき、更に、パージによるエンジンのトルク増加を空燃比のリーン化で相殺することができる。
【０００５】
【特許文献１】特開２００７−１６２６３２号公報
【発明の開示】
【発明が解決しようとする課題】
【０００６】
ところで、デュアルフューエルエンジンの優位性の１つに、冷間始動時、触媒が活性化するまで炭素を有していない気体燃料を使用することにより、エミッション性向上が図れる点が挙げられる。      
しかしながら、運転者が、クリーン志向で積極的に気体燃料を選択したとしても、触媒が活性化していない時期にパージの実行を行うとＨＣの分離浄化が充分に行えず、未浄化の排気ガスが大気中に排出されることになる。
【０００７】
特に、気体燃料を選択している場合、空燃比をリーンとした希薄燃焼とされることが多く、低回転のリーン運転では排気温度が３００℃を下回ることがある。
このような場合、更に、触媒への入力熱量が少なくなり、ＨＣの未浄化傾向が一層顕著になる。  
【０００８】
本発明は、かかる点に鑑みてなされたものであり、その目的とするところは、非炭化水素系の燃料の使用を継続しつつ、蒸発燃料供給による排気浄化性能の向上を図ることにある。
【課題を解決するための手段】
【０００９】
請求項１の発明は、非炭化水素系燃料と、炭化水素系燃料とにより運転可能なデュアルフューエルエンジンと他の駆動源とエンジンに蒸発燃料を供給する蒸発燃料供給手段とを有するデュアルフューエルエンジンの制御方法において、運転者の要求に基づいて一方の燃料によってエンジンを運転させる第１ステップと、エンジン運転時、エンジンへの蒸発燃料供給の要否を判定する第２ステップと、非炭化水素系燃料による運転を行っているとき、蒸発燃料供給の要求があった場合には、エンジンの出力を増加補正する第３ステップと、エンジン出力の増加補正後に蒸発燃料を供給する第４ステップと、を有することを特徴とするものである。
【００１０】
請求項１の発明では、運転者の要求に基づいて一方の燃料によってエンジンを運転させると共に、エンジンへの蒸発燃料供給の要否を判定する。蒸発燃料供給の要求があった場合、運転者の要求が非炭化水素系燃料による運転であっても、蒸発燃料を供給する前にエンジンの出力を増加補正することにより、触媒に対する熱供給を行っている。
【００１１】
請求項２の発明は、請求項１において、第３ステップは、第３ステップ前のエンジン出力が小さい程、エンジン出力の増加補正を大きくするステップであることを特徴とするものである。
【００１２】
請求項３の発明は、請求項１又は２において、蒸発燃料供給の要求があったときのエンジン出力が所定値以上の場合、エンジン出力の増加補正を禁止する第５ステップを有することを特徴とするものである。
【００１３】
請求項４の発明は、請求項１又は２において、他の駆動源は充電可能なバッテリであり、モータで走行するハイブリッド車両であって、第３ステップのエンジン出力の増加で発電すると共に、この発電分を前記バッテリに充電する第６ステップを有することを特徴とするものである。
【００１４】
請求項５の発明は、請求項１又は２において、他の駆動源は充電可能なバッテリであり、モータで走行するハイブリッド車両であって、バッテリの電力とエンジンの発電による電力との双方によりモータが駆動される場合、モータに供給されるバッテリの電力量から第３ステップのエンジン出力の増加で発電される電力量を低減する第７ステップを有することを特徴とするものである。
【００１５】
請求項６の発明は、非炭化水素系燃料と、炭化水素系燃料とにより運転可能なデュアルフューエルエンジンと他の駆動源と前記エンジンに蒸発燃料を供給する蒸発燃料供給手段とを有するデュアルフューエルエンジンの制御方法において、運転者の要求に基づいて一方の燃料によってエンジンを運転させる第１ステップと、エンジン運転時、エンジンへの蒸発燃料供給の要否を判定する第２ステップと、非炭化水素系燃料による運転を行っているとき、触媒が活性化状態にあるか否かを判定する第３ステップと、触媒が非活性化状態下で蒸発燃料供給の要求があった場合には、前記エンジンの出力を増加補正する第４ステップと、エンジン出力の増加補正により触媒が活性化状態になった後に蒸発燃料を供給する第５ステップと、を有することを特徴とするものである。
【００１６】
請求項７の発明は、請求項６において、第４ステップは、触媒が活性化状態から離れている程、エンジン出力の増加補正を大きくするステップであることを特徴とするものである。
【００１７】
請求項８の発明は、非炭化水素系燃料と、炭化水素系燃料とにより運転可能なデュアルフューエルエンジンと他の駆動源とエンジンに蒸発燃料を供給する蒸発燃料供給手段とを有するデュアルフューエルエンジンの制御装置において、運転者の操作によって、エンジンの運転に使用する燃料を切替え可能な切替手段と、エンジン運転時、エンジンへの蒸発燃料供給の要否を判定する蒸発燃料供給判定手段と、非炭化水素系燃料による運転を行っているとき、蒸発燃料供給の要求があった場合には、エンジンの出力を増加補正する出力増加手段とを有し、エンジン出力の増加補正後に蒸発燃料を供給することを特徴とするものである。
【００１８】
請求項９の発明は、請求項８において、出力増加手段は、エンジン出力の増加前のエンジン出力が小さい程、エンジン出力の増加補正を大きくすることを特徴とするものである。
【００１９】
請求項１０の発明は、請求項８又は９において、蒸発燃料供給判定手段により、蒸発燃料供給の判定がなされたときのエンジン出力が所定値以上の場合、出力増加手段のエンジン出力の増加補正を禁止することを特徴とするものである。
【００２０】
請求項１１の発明は、請求項８又は９において、他の駆動源は充電可能なバッテリであり、モータで走行するハイブリッド車両であって、出力増加手段によるエンジン出力の増加に基づき発電されると共に、この発電分をバッテリに充電することを特徴とするものである。
【００２１】
請求項１２の発明は、請求項８又は９において、他の駆動源は充電可能なバッテリであり、モータで走行するハイブリッド車両であって、バッテリの電力とエンジンの発電による電力との双方によりモータが駆動される場合、モータに供給されるバッテリの電力量から出力増加手段によるエンジン出力の増加に基づき発電される電力量を低減することを特徴とするものである。
【発明の効果】
【００２２】
請求項１の発明によれば、運転者の要求に基づいて一方の燃料によってエンジンを運転させる第１ステップと、エンジン運転時、エンジンへの蒸発燃料供給の要否を判定する第２ステップと、非炭化水素系燃料による運転を行っているとき、蒸発燃料供給の要求があった場合には、エンジンの出力を増加補正する第３ステップと、エンジン出力の増加補正後に蒸発燃料を供給する第４ステップと、を有するため、非炭化水素系の燃料の使用を継続しつつ、蒸発燃料供給による排気浄化性能の向上を図ることができる。
【００２３】
つまり、蒸発燃料供給前に触媒に対して活性化のための熱量を供給することにより、非炭化水素系の燃料の使用を継続した状態であっても、蒸発燃料供給に起因するＨＣの排出を防止することが可能となる。
【００２４】
請求項２の発明によれば、第３ステップは、第３ステップ前のエンジン出力が小さい程、エンジン出力の増加補正を大きくするステップを有するため、運転状態に応じたエンジン出力増加補正ができ、効率的に触媒の温度を活性化状態にすることができる。
【００２５】
請求項３の発明によれば、蒸発燃料供給の要求があったときのエンジン出力が所定値以上の場合、エンジン出力の増加補正を禁止する第５ステップを有するため、補正制御の頻度を低減すると共に、過剰なエンジン出力の増加補正を抑制することができ、トルク変動に基づく運転時の違和感を防止できる。
【００２６】
請求項４の発明によれば、他の駆動源は充電可能なバッテリであり、モータで走行するハイブリッド車両であって、第３ステップのエンジン出力の増加で発電すると共に、この発電分をバッテリに充電する第６ステップを有するため、エンジン出力の増加に伴うトルクショックの防止とバッテリへの充電とが両立できる。
【００２７】
請求項５の発明によれば、他の駆動源は充電可能なバッテリであり、モータで走行するハイブリッド車両であって、バッテリの電力とエンジンの発電による電力との双方によりモータが駆動される場合、モータに供給されるバッテリの電力量から第３ステップのエンジン出力の増加で発電される電力量を低減する第７ステップを有するため、エンジン出力の増加に伴うトルクショックの防止とバッテリ負荷の低減とが両立できる。
【００２８】
請求項６の発明によれば、非炭化水素系燃料と、炭化水素系燃料とにより運転可能なデュアルフューエルエンジンと他の駆動源と前記エンジンに蒸発燃料を供給する蒸発燃料供給手段とを有するデュアルフューエルエンジンの制御方法において、運転者の要求に基づいて一方の燃料によってエンジンを運転させる第１ステップと、エンジン運転時、エンジンへの蒸発燃料供給の要否を判定する第２ステップと、非炭化水素系燃料による運転を行っているとき、触媒が活性化状態にあるか否かを判定する第３ステップと、触媒が非活性化状態下で蒸発燃料供給の要求があった場合には、前記エンジンの出力を増加補正する第４ステップと、エンジン出力の増加補正により触媒が活性化状態になった後に蒸発燃料を供給する第５ステップと、を有するため、確実に触媒温度の活性化状態を検出することができ、ＨＣの低減が可能となる。
【００２９】
請求項７の発明によれば、第４ステップは、触媒が活性化状態から離れている程、エンジン出力の増加補正を大きくするため、一層、ＨＣの低減が可能となる。
【００３０】
請求項８の発明によれば、運転者の操作によって、エンジンの運転に使用する燃料を切替え可能な切替手段と、エンジン運転時、エンジンへの蒸発燃料供給の要否を判定する蒸発燃料供給判定手段と、非炭化水素系燃料による運転を行っているとき、蒸発燃料供給の要求があった場合には、エンジンの出力を増加補正する出力増加手段とを有し、エンジン出力の増加補正後に蒸発燃料を供給するため、基本的に請求項１と同様の効果を得ることができる。
【００３１】
請求項９の発明によれば、出力増加手段は、エンジン出力の増加前のエンジン出力が小さい程、エンジン出力の増加補正を大きくするため、基本的に請求項２と同様の効果を得ることができる。
【００３２】
請求項１０の発明によれば、蒸発燃料供給判定手段により、蒸発燃料供給の判定がなされたときのエンジン出力が所定値以上の場合、出力増加手段のエンジン出力の増加補正を禁止するため、基本的に請求項３と同様の効果を得ることができる。
【００３３】
請求項１１の発明によれば、他の駆動源は充電可能なバッテリであり、モータで走行するハイブリッド車両であって、出力増加手段によるエンジン出力の増加に基づき発電されると共に、この発電分をバッテリに充電するため、基本的に請求項４と同様の効果を得ることができる。
【００３４】
請求項１２の発明によれば、他の駆動源は充電可能なバッテリであり、モータで走行するハイブリッド車両であって、バッテリの電力とエンジンの発電による電力との双方によりモータが駆動される場合、モータに供給されるバッテリの電力量から出力増加手段によるエンジン出力の増加に基づき発電される電力量を低減するため、基本的に請求項５と同様の効果を得ることができる。
【発明を実施するための最良の形態】
【００３５】
以下、本発明の実施例について図面に基づいて説明する。
【実施例１】
【００３６】
−駆動システム構成−
図１は本発明の実施例１に係るデュアルフューエルエンジンを搭載した車両の駆動システムの全体図、図２はデュアルフューエルエンジンの制御ブロック図、図３は水素燃料選択時における目標運転モードを示すマップ、図４は蒸発燃料のパージ制御を示すフローチャート、図５は本制御のタイムチャートである。
【００３７】
本実施例１は、ガソリン燃料（炭化水素系燃料）と水素燃料（非炭化水素系燃料）とを切替えて運転可能なデュアルフューエルエンジンを、エンジンの駆動力を直接車軸に伝達して車両を駆動するのではなく、モータで車両を駆動し、そのモータに供給する電力を発電するためにエンジンを動かすハイブリッドシステム（シリーズハイブリッド）の車両に搭載したものである。
【００３８】
車両の駆動システムは、図１に示す通りで、２ロータ式のロータリエンジンからなるエンジン１と、ガソリン燃料タンク２及び水素燃料タンク３と、ガソリン燃料タンク２からエンジン１にガソリンを供給するガソリン供給通路４及び水素燃料タンク３からエンジン１に水素を供給する水素供給通路５と、エンジン１の出力軸６によって駆動されるジェネレータ（発電機）７と、デフ（デファレンシャル）８を介して車軸９を駆動するモータ（電動機）１０と、モータ駆動用の電力を蓄電するバッテリ（高電圧バッテリ）１１と、交流電流を直流に変換するためのＡＣ−ＤＣコンバータ１２と、ジェネレータ７で発電された交流電流を直流に変換するためにＡＣ−ＤＣコンバータ１２へ流す電流経路１３と、直流電流を交流に変換するためのＤＣ−ＡＣコンバータ１４と、ＡＣ−ＤＣコンバータ１２からの直流電流をバッテリ１１へ流す電流経路１５と、この電流経路１５から分かれてＡＣ−ＤＣコンバータ１２からと直流電流及びバッテリ１１からとの直流電流をＤＣ−ＡＣコンバータ１４へ流す電流経路１６と、ＤＣ−ＡＣコンバータ１４からの交流電流をモータ１０へ供給する電流経路１７とで構成されている。
【００３９】
ＡＣ−ＤＣコンバータ１２からの直流電流をバッテリ１１へ流す電流経路１５には、ＤＣ−ＡＣコンバータ１４への電流経路１６の分岐点よりバッテリ１１側に、ＡＣ−ＤＣコンバータ１２からの直流電流を蓄電するようバッテリ１１側に流す位置と、そのままＤＣ−ＡＣコンバータ１４を介してモータ１０に供給する位置とに切替えるバッテリ切替えスイッチ３８が設置されている。
【００４０】
本シリーズハイブリッド車両の基本的な運転形態は、以下の通りである。
エンジン１は常に運転しているのではなく、車両の始動時や低トルクの運転状態の場合は、大きな駆動力は不要なため、エンジン１を不作動として、バッテリ１１の電力をＤＣ−ＡＣコンバータ１４を介してモータ１０に供給して車両を駆動する。
【００４１】
トルクが増加し、中トルクの運転状態になると、バッテリ１１から電力が消費され、バッテリ１１の蓄電量が減少するため、エンジン１によりジェネレータ７を駆動し、ジェネレータ７の発電電力をモータ１０に供給して車両を駆動する。
【００４２】
更にトルクが増加し、高トルクの運転状態になると、エンジン１による発電量のみでは賄えないため、エンジン１の駆動によるジェネレータ７の発電電力とバッテリ１１に蓄電されている電力との両方をモータ１０に供給して車両を駆動する。
【００４３】
また、バッテリ１１の蓄電量が充電の必要なレベルまで減少した場合で、且つエンジン１が運転していない状態、例えば、低トルク走行中でバッテリ１１の蓄電量が急激に減少した状態では、エンジン１を始動させてバッテリ１１を充電するように構成されている。
【００４４】
一方、バッテリ１１の蓄電量が充電の必要なレベルまで減少した場合で、且つエンジン１が既に運転している状態、例えば、高トルク走行中であり、ジェネレータ７の発電電力とバッテリ１１に蓄電電力との両方をモータ１０に供給している状況で、バッテリ１１の蓄電量が急激に減少した状態には、中トルク状態になるのを待つと共に、ジェネレータ７の発電量を高い値に維持して、モータ１０が必要とする電力以上の発電を行いつつ、その余剰分の電力をバッテリ１１に充電するように構成されている。
【００４５】
−エンジン周辺構成−
図２に示すように、ロータ１８が配置された各ロータハウジング１９には、２つの点火プラグ２０，２１が装着されている。サイドハウジング２２には、吸気ポート２３及び排気ポート２４が形成されており、吸気ポート２３には吸気通路２５が接続されており、吸気通路２５を介して作動室２６に空気が導入される。また、排気ポート２４には排気通路２７が接続されており、排気通路２７を介して作動室２８内の排気ガスが下流側に設置される触媒２９で浄化された後排出される。以上の構成は各ロータ１８に対して同様である。
【００４６】
ロータ１８は、図２において時計回りに回転し、図示の状態では作動室２６は圧縮行程、
作動室２８は排気行程が夫々行われる。
点火プラグ２０，２１は、ロータ１８の回転方向に対して直列に、即ち、直角方向に並んで配置されており、ロータハウジング１９には点火プラグ２０，２１の夫々に対してプラグホールが形成されている。
【００４７】
ロータ１８の回転方向に対してトレーリング側の点火プラグ２０をロータ１８のアペックスシールが通過する際には、圧縮行程となっている作動室２６と膨張行程となっている作動室２９との圧力差が大きく、ガスが吹き抜け易いので、点火プラグ２０が燃焼室（作動室）から遠い位置に配置されている。
【００４８】
ロータ１８の回転方向に対してリーディング側の点火プラグ２１をロータ１８のアペックスシールが通過する際には、圧縮行程となっている作動室２６と膨張行程に入っている作動室２９との圧力差が小さいので、点火プラグ２１は燃焼室（作動室）から近い位置に配置されている。
【００４９】
吸気通路２５の上流側にはスロットル弁３０が配設され、更に、スロットル弁３０の上流側にはエアクリーナ３１が配置される。また、排気通路２７の下流側には、排気通路２７中の排気ガスの一部を吸気通路２５に還流するＥＧＲ装置３２が設けられている。ＥＧＲ装置３２は、排気通路２７と吸気通路２５とを連結するＥＧＲ通路３３と、このＥＧＲ通路３３に還流される排気ガスを冷却して密度を高めるＥＧＲクーラ３４と、ＥＧＲ率を制御するＥＧＲ弁３５とを備える。
【００５０】
吸気通路２５の最下流側の吸気ポート２３近傍には、液体燃料としてのガソリンを吸気ポート２３から噴射して空気と混合した混合気を作動室内に供給するガソリン用燃料噴射弁３６と、気体燃料としての水素を吸気ポート２３から噴射して空気と混合した混合気を作動室内に供給する水素用第１燃料噴射弁３７とが装着されている。
【００５１】
ガソリン用燃料噴射弁３６は、ガソリン供給通路４を介してガソリン燃料タンク２に接続され、ガソリン燃料タンク２からガソリンポンプ３９によってガソリンが圧送される。また、ガソリン燃料タンク２内のガソリンが貯留していない空間部は、蒸発燃料通路４０を介してキャニスタ４１に接続されており、ガソリン燃料タンク２内で蒸発したガソリンは蒸発燃料通路４０を介してキャニスタ４１に導入され、キャニスタ４１で吸着トラップされる。キャニスタ４１は、その底部に大気取入口４２を有し、活性炭等を充填した通気性のある部材で構成される。尚、ガソリン燃料タンク２の内部には、図示しないガソリン残量センサとガソリン燃料タンク２の内部温度を検出するセンサとが設けられている。
【００５２】
キャニスタ４１は、パージ通路４３を介してスロットル弁３０下流側の吸気通路２５に接続され、パージ通路４３の途中にはパージ制御弁４４が配設されている。パージ制御弁４４はその開閉動作が電磁式に制御され、開弁時（ＯＮ時）にキャニスタ４１でトラップされた蒸発燃料を吸気通路２５に供給（パージ）する。
【００５３】
ロータハウジング１９の夫々には、気体燃料としての水素を作動室２６内に直接噴射する直噴式水素用第２燃料噴射弁４５が装着されている。前記第１燃料噴射弁３７及び第２燃料噴射弁４５は、途中で分岐した水素供給通路５を介して水素燃料タンク３に接続され、この水素燃料タンク３から水素燃料がエンジン１に供給される。
【００５４】
水素燃料タンク３の排出口には、水素燃料タンク３から水素供給通路５への水素の排出を制御する停止弁４７が設けられ、停止弁４７の下流側の水素供給通路５には、第１燃料噴射弁３７及び第２燃料噴射弁４５に対する水素供給量を制御する遮断弁４８が配設されている。また、遮断弁４８の下流側の水素供給通路５には、通路内の残圧を検出する圧力センサ４９が設けられている。
【００５５】
各燃料噴射弁３６，３７，４５はコンピュータ（ＰＣＭ）５０に接続されており、ＰＣＭ５０が各燃料噴射弁３６，３７，４５の噴射タイミング、噴射量を制御している。
【００５６】
ＰＣＭ５０には、前記圧力センサ４９からの水素圧力検出信号、点火プラグ２０，２１に接続されたディストリビュータ５１からの点火検出信号、スロットル開度センサ５２からのスロットル開度検出信号、エアフローセンサ５３からの吸気量検出信号、リニアＯ２センサ５４からの酸素濃度検出信号、触媒２９の温度を検出する触媒温度センサ５５からの触媒温度検出信号、水素流量センサ５６からの水素流量検出信号が夫々入力される。
【００５７】
更に、ＰＣＭ５０には、バッテリ１１の電流及び電圧を検出するバッテリ電流・電圧センサ５７からの電流・電圧検出信号、ガソリン燃料タンク２内部の圧力を検出する圧力センサ５８からのガソリンタンク内圧検出信号、水素燃料タンク３内部の圧力を検出する圧力センサ５９からの水素タンク内圧検出信号、運転者の選択により使用燃料を切替え可能とする燃料切替スイッチ６０からの燃料切替信号及び図示しない外気温度センサからの外気温度検出信号が夫々入力される。
【００５８】
前記各信号に基づいて、ＰＣＭ５０は、エンジン１を制御しつつ、ＡＣ−ＤＣコンバータ１２及びＤＣ−ＡＣコンバータ１４の制御によりモータ１０に供給する電力を制御し、バッテリ切替えスイッチ３８を制御して燃料の切替えを行っている。
また、ＰＣＭ５０は、エンジン１の運転時のパージ要否を判定する蒸発燃料供給判定部６１と、水素による運転時にパージ要求があった場合に、エンジン出力を増加補正する出力増加部６２とを有している。
【００５９】
蒸発燃料供給判定部６１は、下記（１）〜（３）からキャニスタ４１に吸着された蒸発燃料トラップ量を推定し、このトラップ量が所定値以上となった場合、パージ要と判定する。
（１）水素燃料選択での運転時間が予め決められた時間以上経過している場合
（２）水素燃料選択での運転時、ガソリン燃料タンク２の内部温度又は内部圧力が予め決められた所定値以上の場合
（３）蒸発燃料のトラップ量が許容量を超えないように予め設定された周期間隔
【００６０】
特に、ガソリン燃料選択時におけるパージ実行条件は、下記（４）〜（５）の条件成立が重視されている。
（４）エンジン水温が所定値（６０℃）以上
（５）空燃比フィードバック制御中
尚、前記（１）〜（５）の条件は、何れか１で判定しても良く、また、複数の成立を条件としても良い。
【００６１】
出力増加部６２は、前記蒸発燃料供給判定部６１がパージ実行と判定したときのエンジン出力が小さい程、エンジン出力の増加補正量を大きくすると共に、その増加補正期間を長くするように構成されている。更に、パージ実行と判定したときのエンジン出力が所定値以上の場合は、エンジン出力の増加補正を禁止するように構成されている。
【００６２】
また、前記出力増加部６２はバッテリ切替えスイッチ３８を作動させ、エンジン出力の増加に基づく発電分をバッテリ１１に優先的に充電する。更に、高トルクの際には、バッテリ電力とエンジン１の発電による電力との双方によりモータ１０が駆動されるが、前記出力増加分を含めたエンジン１の発電による電力をモータ１０に供給すると共に、バッテリ１０からは、当初供給予定であったバッテリ１０の電力から前記出力増加による電力を差し引いた電力をモータ１０に供給するように構成されている。
【００６３】
本エンジン１は、運転者による燃料切替スイッチ６０の操作で使用燃料を選択可能とされている。運転者による使用燃料の選択がない場合は、エンジン１始動時で触媒２９が活性化するまでは、自動的に水素を使用するよう構成されている。
【００６４】
また、図３に示すように、水素燃料選択時は目標運転モードのマップによってエンジン１は制御される。横軸はエンジン回転数、縦軸はエンジン出力を示す。
高回転・高出力領域ではパワーリーン運転用空燃比（λ＝１．２〜２）の燃焼、高回転・低出力及び中回転領域ではＮＯＸ排出量が略ゼロとなる空燃比（λ＝２）の希薄燃焼、低回転領域ではＮＯＸ排出量がさらに略ゼロとなる空燃比（λ＝２．３〜２．５）の希薄燃焼を行うように構成されている。
【００６５】
通常、全回転域において、図に示すスロットル弁３０の全開出力ラインを目標として制御するように設定されているが、所定運転状態、例えば、加速時等では、低出力状態で高回転まで回転数を上昇させて、変速が行われることを考慮し、本マップにおいては、全開出力ラインから下の領域でも空燃比が設定されている。
【００６６】
一方の燃料を選択して使用している際、燃料切れになった場合は、インパネに設けられるワーニングランプ６３により運転者に警告を行うと共に、自動的に他方の燃料に切替えるように構成されている。尚、運転中に使用している燃料は、インパネ上の表示部に表示されている。
【００６７】
−パージ制御−
以下、図４のフローチャートを参照しながら、ＰＣＭ５０によるパージ制御について説明する。尚、フローチャート中のＳｉ（ｉ＝１，２，…）は各ステップを示す。
【００６８】
まず、Ｓ１では、イグニッションＯＮ後、燃料切替信号を読み込み、次のＳ２では運転者がガソリン燃料を選択したか否かを判定する。Ｓ２の判定の結果、運転者がガソリン燃料を選択している場合（Ｓ９）、パージ要求の有無を判定し（Ｓ１０）、パージ要求がなければスタートに戻り、パージ要求があれば、パージ制御弁４４を開作動してパージを実行する（Ｓ８）。Ｓ１０におけるパージ要求の条件は、前述したように、ガソリンタンク圧力センサ５８で検出されたガソリンタンク内圧が所定値以上で、エンジン水温が所定値以上、且つ空燃比フィードバック実行中としている。
【００６９】
Ｓ２の判定でＮＯの場合は、運転者が水素燃料を選択しており（Ｓ３）、パージ要求の有無を判定し（Ｓ４）、パージ要求がなければスタートに戻り、パージ要求があれば、Ｓ５に進む。Ｓ４におけるパージ要求の条件は、例えば、ガソリンタンク圧力センサ５８又はガソリンタンク内温度センサで検出された検出値が所定値以上を要求有りとしている。
【００７０】
Ｓ５の判定の結果、過去に所定期間以上の高出力運転を行っていた場合、パージ制御弁４４を開作動してパージを実行する（Ｓ８）。ここで、所定期間以上の高出力運転とは、今回のイグニッションＯＮ以降における、エンジンが所定の高回転数以上となった累積時間が所定期間を超えたことを意味している。尚、所定期間は、触媒２９の活性化温度とエンジン運転状態（負荷、回転数）との関係から、車両毎に予め設定しておく。また、判定を累積時間ではなく、所定の高回転数以上で最も長く継続した場合の継続時間としても良い。
【００７１】
Ｓ５の判定でＮＯの場合、所謂、図３に示す破線より下の領域では、現時点におけるエンジンの出力状態に応じて、エンジンの回転数を所定回転数、例えば２８００ｒｐｍまで増大させる（Ｓ６）。予め、現時点のエンジン出力と目標となるエンジン回転数とのテーブルがＰＣＭ５０のＲＯＭ内に格納されている。前記エンジン所定回転数については、現時点のエンジン出力が低い程、高くなるように設定されている。また、エンジンの回転数増加によって余分に発生した発電量は、バッテリ切替えスイッチ３８を作動させてバッテリ１１に充電する。更に、バッテリ１１とエンジン１の発電による電力との双方によりモータ１０が駆動される高トルク運転の場合、モータ１０に供給されるバッテリ１０の電力量から出力増加部６２による電力量を低減するようにバッテリ切替えスイッチ３８を制御している。
【００７２】
Ｓ６で設定された所定回転数の運転を設定期間継続した（Ｓ７）後、パージを実行（Ｓ８）してリターンする。
Ｓ７の判定において、期間経過途中で触媒温度センサ５５の検出温度が活性化温度に達した場合は、直ちにパージを実行することも可能である。
【００７３】
図５のタイムチャートに基づいて、本実施例１に係るパージ制御の作用、効果を説明する。尚、タイムチャート中、実線は本パージ制御の経過、破線は従来制御の経過を示す。
【００７４】
運転者がエンジン始動直後から水素燃料による運転を選択している場合、従来例では、パージ条件が成立すると、冷間始動時で触媒温度が昇温していなくても、ＰＣＭ５０がパージ条件を判定し、条件が成立すると、破線に示すようにパージ制御弁４４が直ちに開作動を行う。水素燃料による運転の排気温度は、特に、リーン運転の場合、３００℃に達しないため、触媒２９は充分に昇温されておらず、触媒を通過した浄化後の排気ガスのＨＣは殆ど除去されずに排出される。
【００７５】
一方、本パージ制御の場合、ＰＣＭ５０がパージ要求を判定しても、過去に所定期間以上の高出力運転を行ったか、所謂触媒の昇温が行われているか否かを判定している。浄化機能が発揮可能な状態まで充分に昇温が行われている場合、直ちにパージを実施するため、触媒によるＨＣの排出が防止できる。
【００７６】
過去に所定期間以上の高出力運転を行っていない場合は触媒が低温状態であるため、パージを実施する前に、現時点におけるエンジンの出力状態に応じて、エンジンの回転数を所定回転数まで増大させて触媒温度の昇温を図っている。このとき、現時点のエンジン出力が低い程、回転数を高く設定しているため、ＨＣの浄化性能の上昇を図ることができる。
更に、エンジンの回転数増加によって余分に発生した発電量は、バッテリ１１に充電するため、パージ実行によるトルク変動を防止できる。また、高トルク運転時、モータ１０に供給されるバッテリ１０の電力量から出力増加部６２による電力量を低減するため、バッテリ１０の使用頻度低減、蓄電量安定によりバッテリの長寿命化が図れる。
【００７７】
前記触媒温度の昇温後、パージ制御弁４４の開作動を行うため、図５の実線で示すように、ＨＣは触媒によって吸着、浄化される。特に、本実施例１の場合、高回転・高負荷以外の領域ではＮＯＸ排出量が略ゼロとなる空燃比（λ＝２、又はλ＝２.３〜２．５）の希薄燃焼としているため、ＮＯＸとＨＣとの双方に優れたエミッション性能を得ることができる。
【実施例２】
【００７８】
図６に基づいて、実施例２に係るパージ制御処理について説明する。尚、制御系と各機能部の構成については、実施例１と同様である。  
実施例１との相違点は、実施例１ではエンジン回転数の上昇運転を予め設定された設定期間継続しているのに対し、本実施例２では、前記回転数上昇期間をエンジンの出力に応じて変更している点である。
【００７９】
まず、Ｓ１１では、イグニッションＯＮ後、燃料切替信号を読み込み、次のＳ１２では運転者がガソリン燃料を選択したか否かを判定する。Ｓ１２の判定の結果、運転者がガソリン燃料を選択している場合（Ｓ２０）、パージ要求の有無を判定し（Ｓ２１）、パージ要求がなければスタートに戻り、パージ要求があれば、パージ制御弁４４を開作動してパージを実行する（Ｓ１９）。
【００８０】
Ｓ１２の判定でＮＯの場合は、運転者が水素燃料を選択しており（Ｓ１３）、パージ要求の有無を判定し（Ｓ１４）、パージ要求がなければスタートに戻り、パージ要求があれば、Ｓ１５に進む。Ｓ１４におけるパージ要求の条件は、実施例１と同様である。
Ｓ１５の判定の結果、過去に所定期間以上の高出力運転を行っている場合、パージ制御弁４４を開作動してパージを実行する（Ｓ１９）。
【００８１】
Ｓ１５の判定でＮＯの場合、現時点におけるエンジンの出力状態に応じて、エンジンの回転数を所定回転数まで増大させる（Ｓ１６）と共に、現時点のエンジン出力に応じた回転数増加期間を設定する（Ｓ１７）。予め、現時点のエンジン出力と目標となるエンジン所定回転数と回転数増加期間とのテーブルがＰＣＭ５０のＲＯＭ内に格納されている。尚、前記エンジン所定回転数と回転数増加期間については、現時点のエンジン出力が低い程、高く、且つ長くなるように設定されている。
【００８２】
Ｓ１７で設定された所定回転数の運転を前記回転数増加期間（所定期間）継続させた（Ｓ１８）後、パージを実行（Ｓ１９）してリターンする。
【００８３】
本実施例２によれば、現時点のエンジン出力に対応した回転数増加及び回転数増加期間を設定しているため、ＨＣ浄化性能の向上とパージ実施時期の短縮化との両立が図れる。
【実施例３】
【００８４】
図７に基づいて、実施例３に係るパージ制御処理について説明する。尚、制御系と各機能部の構成については、実施例１と同様である。  
実施例１との相違点は、実施例１では触媒の浄化機能を現在及び過去のエンジンの出力状態で判定しているのに対し、本実施例３では、触媒の温度に応じて変更している点である。
【００８５】
まず、Ｓ３１では、イグニッションＯＮ後、燃料切替信号を読み込み、次のＳ３２では運転者がガソリン燃料を選択したか否かを判定する。Ｓ３２の判定の結果、運転者がガソリン燃料を選択している場合（Ｓ３９）、パージ要求の有無を判定し（Ｓ４０）、パージ要求がなければスタートに戻り、パージ要求があれば、パージ制御弁４４を開作動してパージを実行する（Ｓ３７）。
【００８６】
Ｓ３２の判定でＮＯの場合は、運転者が水素燃料を選択しており（Ｓ３３）、パージ要求の有無を判定し（Ｓ３４）、パージ要求がなければスタートに戻り、パージ要求があれば、Ｓ３５に進み触媒温度センサ５５で検出された触媒温度を読み込み、Ｓ３６に進む。
【００８７】
Ｓ３６の判定の結果、現時点の触媒温度が触媒の活性化温度を越える場合、パージ制御弁４４を開作動してパージを実行（Ｓ３７）してリターンする。
Ｓ３６の判定がＮＯである場合、Ｓ３８に進みエンジン出力の増加補正を所定期間行う。
現時点の触媒温度と目標となるエンジン所定回転数と回転数増加期間とのテーブルがＰＣＭ５０のＲＯＭ内に格納されている。エンジン所定回転数について、現時点の触媒温度が活性化温度に対し低い程、高く、また、回転数増加期間について、現時点の触媒温度が活性化温度に対し低い程、長くなるように設定されている。
【００８８】
本実施例３によれば、実際の触媒温度を検出することによって、確実に触媒温度の活性化状態を検出することができ、一層、ＨＣの低減が可能となる。
【００８９】
その他、当業者であれば、本発明の趣旨を逸脱することなく、前記実施例に種々の変更を付加した形態で実施可能であり、本発明はそのような変更形態も包含するものである。
【図面の簡単な説明】
【００９０】
【図１】本発明の実施例１に係るデュアルフューエルエンジンを搭載した車両の駆動システムの全体図である。
【図２】同エンジンの制御ブロック図である。
【図３】同エンジンの水素燃料選択時における目標運転モードを示すマップ
【図４】実施例１に係る蒸発燃料のパージ制御を示すフローチャートである。
【図５】実施例１に係るパージ制御のタイムチャートである。
【図６】実施例２に係る蒸発燃料のパージ制御を示すフローチャートである。
【図７】実施例３に係る蒸発燃料のパージ制御を示すフローチャートである。
【符号の説明】
【００９１】
１      デュアルフューエルエンジン
２      ガソリン燃料タンク
３      水素燃料タンク
７      ジェネレータ
１０    モータ
１１    バッテリ
１２    ＡＣ−ＤＣコンバータ
１４    ＤＣ−ＡＣコンバータ
３６    ガソリン用燃料噴射弁
３７    水素用第１燃料噴射弁
４１    キャニスタ
４４    パージ制御弁
４５    水素用第２燃料噴射弁
５０    ＰＣＭ
６１    蒸発燃料供給判定部
６２    出力増加部
【図１】
2010013976.tif 000003
【図２】
2010013976.tif 000004
【図３】
2010013976.tif 000005
【図４】
2010013976.tif 000006
【図５】
2010013976.tif 000007
【図６】
2010013976.tif 000008
【図７】
2010013976.tif 000009